(57)【要約】【課題】本発明は、ヒートシール可能なフィルム状袋容器内に食品と雰囲気改良剤を同封する場合、該雰囲気改良剤が食品中に埋没するのを防止できるばかりでなく、内容物を排出した時に該雰囲気改良剤はフィルム状袋内に残存するようにしたフィルム状袋容器を提供する。しかも雰囲気改良剤を容器内に固定化しないので、溶剤(接着剤など)を使う必要がなく、同封された食品が溶剤(接着剤など)によって悪影響を受けるのを回避でき、容器と雰囲気改良剤の分離が容易なフィルム状袋容器を低コストで提供する。【解決手段】ヒートシール可能なフィルム状袋容器1の表面フィルム１ａと裏面フィルム１ｂの外側から複数箇所にヒートシール２を行って収納部３を形成し、該収納部３内に雰囲気改良剤４を収納可能で、その収納部３が、フィルム状袋容器の開封部の反対側の端部側に形成されたことを特徴とするフィルム状袋容器。【選択図】図１
2020132164.tif 000002
【特許請求の範囲】
【請求項１】
ヒートシール可能なフィルム状袋容器1の表面フィルム１ａと裏面フィルム１ｂの外側から複数箇所にヒートシール２を行って収納部３を形成し、該収納部３内に雰囲気改良剤４を収納可能で、その収納部３が、フィルム状袋容器の開封部の反対側の端部側に形成されたことを特徴とするフィルム状袋容器。
【請求項２】
複数箇所のヒートシール２が多角形の頂点の位置に配置された請求項１記載のフィルム状袋容器。
【請求項３】
複数箇所のヒートシール２が直線の位置に配置された請求項１記載のフィルム状袋容器。
【請求項４】
収納部３が少なくとも二箇所のヒートシール２によって、フィルム状袋容器1の側端部に形成された請求項1記載のフィルム状袋容器。
【発明の詳細な説明】
【技術分野】
【０００１】
本発明は、フィルム状袋容器に食品と雰囲気改良剤を同封するフィルム状袋容器に関する。
【背景技術】
【０００２】
従来、フィルム状袋容器の内壁面に雰囲気改良剤が固定されていることを特徴とする粉末食品用フィルム状袋容器（特許文献１）及びフィルム状袋容器内側壁面に通気性素材からなる副資材収納部が形成されたフィルム状袋容器（特許文献２）が知られている。しかし、いずれも市販されている一般的なフィルム状袋容器での製造が容易ではなく、特許文献２の場合、特殊加工されたフィルム状袋容器が必要である。
【先行技術文献】
【特許文献】
【０００３】
【特許文献１】特開２０００−１４２８１７号公報
【特許文献２】特開平１０−３２４３７３号公報
【発明の概要】
【発明が解決しようとする課題】
【０００４】
フィルム状袋容器に雰囲気改良剤を食品と共に同封する場合、食品を取り出すときに雰囲気改良剤が食品に付着した状態で取り出されたり、粒状の食品ならば混ざった状態で取り出されることがある。
【０００５】
従来の改善策として、溶剤(接着剤など)で雰囲気改良剤を容器内に固定化したり、特殊加工された袋を製造する方法があるが、雰囲気改良剤を容器内に固定化するための溶剤(接着剤など)によって同封された食品が悪影響を受けたり、雰囲気改良剤とフィルム状袋容器の分離が難しくなったり、特殊加工された袋を製造するためのコスト面での課題がある。
【０００６】
本発明は、雰囲気改良剤を容器内に固定化しないので、容器と雰囲気改良剤の分離が容易であり、雰囲気改良剤を容器内に固定化するための溶剤(接着剤など)によって同封された食品が悪影響を受けることを防止できるフィルム状袋容器を低コストで提供することを目的とする。
【課題を解決するための手段】
【０００７】
本発明は、ヒートシール可能なフィルム状袋容器1の表面フィルム１ａと裏面フィルム１ｂの外側から複数箇所にヒートシール２（ヒートシシールどうしの距離Ｃが雰囲気改良剤４の縦Ａ、横Ｂの長さの短辺よりも短い距離）を行って収納部３を形成し、該収納部３内に雰囲気改良剤４を収納可能で、その収納部３が、フィルム状袋容器の開封部の反対側の端部側に形成されているものである。
【０００８】
請求項２の発明は、複数箇所のヒートシール２が多角形の頂点の位置に配置されていて、該ヒートシール２の複数箇所とフィルム状袋容器1を封した時のシール７により、雰囲気改良剤４が収納部３から出ないようにするものである。
【０００９】
請求項３の発明は、複数箇所のヒートシール２が直線の位置に配置されていて該ヒートシール２とフィルム状袋容器1の左右側面と封した時のシール７により収納部３が形成されていて、雰囲気改良剤４が収納部３から出ないようにするものである。
【００１０】
請求項４の発明は、フィルム状袋容器1の片方の側面と封した時のシール７と少なくとも二箇所のヒートシール２によって収納部３が形成されていて、雰囲気改良剤４が収納部３から出ないようにするものである。
【発明の効果】
【００１１】
本発明は、特殊加工された袋を製造する必要がなく市販されたフィルム状袋容器を使用でき、フィルム状袋容器内に食品と雰囲気改良剤を同封する場合、該雰囲気改良剤が収納部３内に収まっているために雰囲気改良剤の存在を認識しやすく、雰囲気改良剤と食品が接触しているために雰囲気改良剤の機能を阻害することが少ない。更に雰囲気改良剤を容器内に固定化しないので、容器と雰囲気改良剤の分離が容易であり、雰囲気改良剤を容器内に固定化するための溶剤(接着剤など)によって同封された食品が悪影響を受けることを防止できるフィルム状袋容器を簡単に、しかも低コストで簡単に提供できる。
【図面の簡単な説明】
【００１２】
【図１】本発明に係るフィルム状袋容器の一実施例を示す正面図である。
【図２】本発明に係るフィルム状袋容器の開封部を上にした状態を示す正面図と正面図をX−X 線・Y−Y 線・Z−Z 線に沿って切断した断面図である。
【図３】開口したフィルム状袋容器１に食品５を充填し、表面１ａ及び裏面１ｂからヒートシール２し、容器内に収納部３を形成して、該収納部３に雰囲気改良剤４を投入した状態を示す図である。
【図４】請求項２の複数箇所のヒートシール２して、雰囲気改良剤４を投入し、シール７によりフィルム状袋容器１を封した時の状態を示した図であり、複数箇所のヒートシールどうしの距離Ｃが雰囲気改良剤４の縦Ａ、横Ｂの長さの短辺よりも短い距離であることを示している。
【図５】請求項３の直線上に複数箇所のヒートシール２して、雰囲気改良剤４を投入し、シール７によりフィルム状袋容器１を封した時の状態を示した図であり、ヒートシールどうしの距離Ｃが雰囲気改良剤４の縦Ａ、横Ｂの長さの短辺よりも短い距離であることを示している。
【図６】請求項４の複数箇所のヒートシール２して雰囲気改良剤４を投入し、シール７によりフィルム状袋容器１を封した時の状態を示した図であり、ヒートシールどうしの距離Ｃが雰囲気改良剤４の縦Ａ、横Ｂの長さの短辺よりも短い距離であることを示している。
【発明を実施するための形態】
【００１３】
フィルム状袋容器１に開口している端部側から食品５を投入し、表面１ａ及び裏面１ｂの外側から複数箇所にヒートシール２をする。ヒートシール２により、容器内に収納部３が形成され、該収納部３に雰囲気改良剤４を投入した後に、開口している端部側をシール機などでヒートシール７をして封をする。収納部３の反対側から開封することで、食品５を取り出した際に雰囲気改良剤４は、収納部３内に留まり、食品５だけが取り出される。
【００１４】
本発明において、フィルム状袋容器本体を構成する素材としては、食品包装に常用される、ヒートシール可能なポリエチレン、ナイロン、エチレンビニールなどの合成樹脂フィルムやこれらのフィルムにアルミあるいはシリカ等を蒸着したフィルム等が挙げられる。これらのうち、脱酸素剤又は乾燥剤の効果保持と、食品を充填した後の流通過程での該食品の品質保持のために、酸素不透過性に優れている合成樹脂からなる層を少なくとも一層有する積層フィルムが好ましい。
【００１５】
また食品としては、任意の固形食品が挙げられ、具体的には粉末食品、穀類(主穀、雑穀)、乾燥食品(干物、乾物、米菓子等)等が挙げられる。
【００１６】
複数箇所のヒートシール２の形状としては、丸・三角・四角・菱形・五角形などのように粒状食品が引っかかりにくい形状が挙げられる。
【００１７】
請求項２のヒートシール２の数は、雰囲気改良剤のサイズと個数によって変化するために、三箇所から数十箇所が考えられる。
【００１８】
請求項３のヒートシール２の数は、フィルム状袋容器本体のサイズと雰囲気改良剤のサイズによって変化する。雰囲気改良剤の縦横の長さの短辺よりも短い距離ごとにヒートシール２を線上に配置するため、袋の大きさに応じてヒートシール２の数を決める。
【００１９】
請求項４のヒートシール２の数は、フィルム状袋容器本体のサイズと雰囲気改良剤のサイズによって変化する。雰囲気改良剤の縦横の長さの短辺よりも短い距離ごとにヒートシール２を配置するために、少なくとも２箇所以上のヒートシール２が必要であり、袋の大きさと雰囲気改良剤４に応じてヒートシール２の数を決める。
【００２０】
本発明においては、フィルム状袋容器内に食品と雰囲気改良剤を同封する場合、該雰囲気改良剤が収納部３内に収まっているために雰囲気改良剤の存在を認識しやすく、雰囲気改良剤と食品が接触しているために雰囲気改良剤の機能を阻害することが少ない。また雰囲気改良剤を容器内に固定化しないので容器と雰囲気改良剤との分離が容易であり、雰囲気改良剤を容器内に固定化するための溶剤（接着剤など）による悪影響を防止できるので、食品の包装用フィルム状袋容器として好適である。
【実施例】
【００２１】
縦２３cm横１３cmのナイロンポリエチレン（バリアタイプ）に無洗米３００gを投入し、一辺が２．８cmの三角形の頂点の位置に３点のヒートシールをして、収納部を形成し、該収納部に縦３cm横４cmの脱酸素剤を入れて、開口をシール機により封をして、長期保存可能な脱酸素剤入り二合無洗米の製品を得た。
【産業上の利用可能性】
【００２２】
本発明において、フィルム状袋容器内に食品と雰囲気改良剤を同封する場合、該雰囲気改良剤が収納部３内に収まっている為に雰囲気改良剤の存在を認識しやすい。しかも雰囲気改良剤と食品が接触しているので雰囲気改良剤の機能を阻害することが少ない。また雰囲気改良剤を容器内に固定化しないので容器と雰囲気改良剤との分離が容易であり、雰囲気改良剤を容器内に固定化するための溶剤（接着剤など）による悪影響を防止できるので、食品の包装用フィルム状袋容器として好適である。
【符号の説明】
【００２３】
１                         フィルム状袋容器
１a                        表面フィルム
１b                        裏面フィルム
２                         点状のヒートシール
３                         収納部
４                         雰囲気改良剤
５                         食品
６                         既存のシール部
７                         封した時のシール部
Ａ                         雰囲気改良剤の短辺
Ｂ                         雰囲気改良剤の長辺
Ｃ                         複数個所の点状のヒートシールどうしの距離
【図１】
2020132164.tif 000003
【図２】
2020132164.tif 000004
【図３】
2020132164.tif 000005
【図４】
2020132164.tif 000006
【図５】
2020132164.tif 000007
【図６】
2020132164.tif 000008